(57)【特許請求の範囲】
【請求項１】
つる性植物で緑化壁を形成すべく複数本の緑化ワイヤを上下方向に沿いつつ並列に配置し、その緑化ワイヤに沿ってつる性植物を育成させるための緑化壁装置において、
前記緑化ワイヤに上下間隔をおいてＹ字状の分岐ガイドを取り付けると共に、その分岐ガイドを支持材として保水性のある緑化誘引線を前記緑化ワイヤに螺旋状に巻き付けたことを特徴とする緑化壁装置。
【請求項２】
前記緑化誘引線が、複数本のカーボン繊維を撚って形成された請求項１記載の緑化壁装置。
【請求項３】
前記緑化誘引線が、耐腐性に優れる植物繊維を撚って形成された請求項１記載の緑化壁装置。
【請求項４】
前記分岐ガイドが、前記緑化ワイヤから隣接する他の緑化ワイヤに向けて斜め上方に延びる一対の誘引ニードルと、これら誘引ニードルを緑化ワイヤに留めるスリーブ状の留め具とを備えた請求項１〜３のいずれかに記載の緑化壁装置。
【請求項５】
前記誘引ニードルは、針金をヘアピン状に折り曲げて形成されると共に、折り曲げ部が先端となるように形成された請求項４記載の緑化壁装置。
【請求項６】
前記緑化ワイヤの上端にはアイボルト又はアイナットが設けられ、該アイボルト又はアイナットには、更に上方に延びる他の緑化ワイヤの下端のアイナット又はアイボルトが締結された請求項１〜５のいずれかに記載の緑化壁装置。
【発明の詳細な説明】
【技術分野】
【０００１】
本発明は、つる性植物で緑化壁を形成する緑化壁装置に関するものである。
【背景技術】
【０００２】
つきぬきにんどう、時計草、ジャスミン、あけび等のツル、ツタ等のつる性植物で緑化壁を形成する緑化壁装置としては、複数本の緑化ワイヤを上下方向に沿いつつ並列に配置し、その緑化ワイヤに沿ってつる性植物を育成させるものが知られている。
【０００３】
かかる緑化壁装置によれば、つる性植物を複数本の緑化ワイヤに亘って自由に延ばすことができ、つる性植物で緑化壁を形成できる。
【先行技術文献】
【特許文献】
【０００４】
【特許文献１】特開２０１２−２９６２９号公報
【特許文献２】特開２００２−２７２２７４号公報
【特許文献３】特開２００６−３６号公報
【特許文献４】特開平１１−８９４４７号公報
【発明の概要】
【発明が解決しようとする課題】
【０００５】
しかしながら、つる性植物をワイヤに沿わせるものであるため、つる性植物の茎から延びる巻き髭、刺、鉤、吸盤、根等に水分を供給することができず、根等が付かないという課題があった。また、緑化ワイヤは上下方向に沿って直線状に延びるため、つる性植物の茎が分岐して横方向に延びようとしても分岐した茎を支持する手段がなく、緑化ワイヤの周りと比べて緑化ワイヤ間の緑化が進みにくいという課題があった。
【０００６】
そこで、本発明の目的は、上記課題を解決し、緑化ワイヤに沿って延びるつる性植物の根等を付かせることができ、緑化ワイヤ間を良好に緑化できる緑化壁装置を提供することにある。
【課題を解決するための手段】
【０００７】
上記課題を解決するために本発明は、つる性植物で緑化壁を形成すべく複数本の緑化ワイヤを上下方向に沿いつつ並列に配置し、その緑化ワイヤに沿ってつる性植物を育成させるための緑化壁装置において、前記緑化ワイヤに上下間隔をおいてＹ字状の分岐ガイドを取り付けると共に、その分岐ガイドを支持材として保水性のある緑化誘引線を前記緑化ワイヤに螺旋状に巻き付けたものである。
【発明の効果】
【０００８】
本発明によれば、緑化ワイヤに沿って延びるつる性植物の根等を付かせることができ、緑化ワイヤ間を良好に緑化できる。
【図面の簡単な説明】
【０００９】
【図１】本実施の形態に係る緑化壁装置の概略斜視図である。
【図２】（ａ）は緑化壁装置の上部を示す正面図であり、（ｂ）は緑化壁装置の中間部を示す正面図である。
【図３】（ａ）は緑化壁装置の下部を示す正面図であり、（ｂ）は他の形態の緑化壁装置の下部の正面図である。
【図４】緑化壁装置の要部拡大斜視図である。
【発明を実施するための形態】
【００１０】
本発明に係る緑化壁装置を図面に基づいて説明する。
【００１１】
図１は、建物の外壁近傍に上下２段に設けられた緑化壁装置を示す。
【００１２】
図１及び図２（ａ）に示すように、緑化壁装置１は、上下方向に沿いつつ並列に配置された複数本の緑化ワイヤ２と、それぞれの緑化ワイヤ２に上下間隔をおいて取り付けられた複数の分岐ガイド３と、これら分岐ガイド３を支持材として緑化ワイヤ２に設けられる保水性のある緑化誘引線４とを備える。
【００１３】
緑化ワイヤ２は、鋼線を撚って形成されている。図２（ａ）、図２（ｂ）に示すように、緑化ワイヤ２の上端には建物の梁５等に設けられたブラケット６等の固定系に締結されるアイボルト７が設けられている。また、図３（ａ）に示すように、緑化ワイヤ２の下端には地上の基礎８に設けられたアンカーボルト等のボルト９に締結されるアイナット１０が設けられている。緑化ワイヤ２の両端は環状に形成されており、アイボルト７又はアイナット１０の輪部１１に接続されている。
【００１４】
アイボルト７及びアイナット１０は、互いに締結可能なものとなっており、緑化ワイヤ２同士を連結できるようになっている。具体的には、図１及び図２（ｂ）に示すように、下段側の緑化壁装置１のそれぞれの緑化ワイヤ２のアイボルト７には、上段側の緑化壁装置１の緑化ワイヤ２のアイナット１０が締結されており、緑化壁装置１が上下に連続するようになっている。なお、本実施の形態では、アイボルト７が緑化ワイヤ２の上端に位置し、アイナット１０が緑化ワイヤ２の下端に位置するものとしたが、アイボルト７とアイナット１０は上下の位置が逆であってもよい。また、緑化ワイヤ２を３段以上の複数段連結して緑化壁装置１を複数段配設するものとしてもよい。
【００１５】
図４に示すように、分岐ガイド３は、正面視Ｙ字状に形成されている。具体的には、分岐ガイド３は、緑化ワイヤ２から隣接する他の緑化ワイヤ２に向けて斜め上方に延びると共に互いに離間するように延びる一対の誘引ニードル１２と、これら誘引ニードル１２を緑化ワイヤ２に留める留め具１３とを備える。
【００１６】
誘引ニードル１２は、針金１４をヘアピン状に折り曲げて形成されると共に、折り曲げ部１５が先端となるように形成されている。ここで、ヘアピン状に折り曲げてとは、針金１４の長手方向の中央を１８０度折り曲げると共に、折り曲げ部１５が円弧状となるように折り曲げ方向外側に膨らませて折り曲げ、かつ、折り曲げ部１５以外は折り重なるようにすることをいう。これにより、簡易な加工で先太にできると共に、誘引ニードル１２を柔軟にでき、人体などが触れても安全にできる。また、誘引ニードル１２を構成する針金１４は、断面半円形に形成されると共に、外周の平坦な面を内側にして折り曲げられている。これにより、誘引ニードル１２は断面形状が略円形となり、人体等に対しては引っ掛かりのない安全なものになっている。
【００１７】
留め具１３は、スリーブ状に形成されており、誘引ニードル１２の下端部を挿入させた状態で緑化ワイヤ２に加締められることで緑化ワイヤ２に誘引ニードル１２を固定する。
【００１８】
分岐ガイド３の上下間隔は、つる性植物１６の茎１７が緑化ワイヤ２を一周するピッチの１倍から４倍程度の長さに設定されており、分岐した茎１８を高い確率で案内できると共に、つる性植物１６の育成を邪魔しないようになっている。
【００１９】
緑化誘引線４は、複数本のカーボン繊維（図示せず）を撚って形成されており、カーボン繊維間に水分を保持するようになっている。また、緑化誘引線４は、分岐ガイド３を支持材として緑化ワイヤ２に螺旋状に巻き付けられている。具体的には、緑化誘引線４は、分岐ガイド３の上下間隔と略同じピッチで緑化ワイヤ２の外周を一周するように緑化ワイヤ２に巻き付けられている。これにより、緑化誘引線４の巻き形状が一定に保持されるようになっている。また、緑化誘引線４の巻き方向は、つる性植物１６の巻き方向と同じに設定されており、つる性植物１６の根（図示せず）や茎１７等が引っ掛かりやすいようになっている。
【００２０】
次に本実施の形態の作用を述べる。
【００２１】
緑化壁装置１の緑化ワイヤ２につる性植物１６の茎１７から延びる根等が巻き付き始めたとき、緑化ワイヤ２には保水性のある緑化誘引線４が巻かれているため、緑化誘引線４からつる性植物１６の根等に水分を供給することができ、つる性植物１６は良好に生育できると共に、緑化ワイヤ２に巻き付いて延び始める。また、緑化誘引線４はつる性植物１６の根、茎１７等に良好に引っ掛かるため、つる性植物１６を効率よく上方に生長させることができる。
【００２２】
また、緑化ワイヤ２に設けられた分岐ガイド３は、緑化ワイヤ２に巻かれた茎１７が分岐したとき、その分岐した茎１８に係合し、分岐した茎１８を支持する。従来の緑化壁装置は、上下に直線状に延びる緑化ワイヤでつる性植物１６の茎１７を案内するものであったため、つる性植物１６は分岐した茎１８を自力で支えながら他の緑化ワイヤまで延びなければならず、自然環境で生長するものよりも横方向への分岐が進みにくく、エネルギーの無駄使いによりつる性植物１６全体の生長も阻害される虞があった。しかし、本実施の形態に係る緑化壁装置１は、斜め上方に延びる誘引ニードル１２で分岐した茎１８をガイドできるため、つる性植物１６を効率よく横方向に分岐、生長させることができる。また、分岐ガイド３は正面視Ｙ字状に形成されているため、分岐した茎１８が上方から垂れてきたとき、この茎１８を受けることができると共に、誘引ニードル１２に巻き付かせることができ、横方向に誘引することができる。
【００２３】
このように、緑化ワイヤ２に上下間隔をおいてＹ字状の分岐ガイド３を取り付けると共に、その分岐ガイド３を支持材として保水性のある緑化誘引線４を緑化ワイヤ２に螺旋状に巻き付けるものとしたため、緑化ワイヤ２に沿って延びるつる性植物１６に水分を供給できると共に、分岐した茎１８を他の緑化ワイヤ２がある横方向に誘引でき、緑化ワイヤ２間を良好に緑化できる。そして、緑化壁を美感の高いものにでき、建物の美感を高めることができる。
【００２４】
また、緑化誘引線４は、複数本のカーボン繊維を撚って形成されるものとしたため、経年劣化に強いものにできると共に、自然に近い環境にでき、つる性植物１６を安定して育成できる。
【００２５】
分岐ガイド３が、斜め上方に延びる一対の誘引ニードル１２と、これら誘引ニードル１２を緑化ワイヤ２に留めるスリーブ状の留め具１３とを備えるものとしたため、分岐ガイド３を簡易で安価なものにできると共に、十分な強度にできる。
【００２６】
誘引ニードル１２は、針金１４をヘアピン状に折り曲げて形成されると共に、折り曲げ部１５が先端となるように形成されるものとしたため、誘引ニードル１２をヘアピンのように先端が拡大された安全な形状にできると共に、簡単な加工で製作できる。また、誘引ニードル１２を柔軟性の高いものにでき、人体等が引っ掛かったとき適当に撓んで逃げることができ、安全性の高いものにできる。
【００２７】
また、緑化ワイヤ２の上端にはアイボルト７又はアイナット１０が設けられ、アイボルト７又はアイナット１０には、更に上方に延びる他の緑化ワイヤ２の下端のアイナット１０又はアイボルト７が締結されるものとしたため、緑化壁装置１を容易に上下多段に設けることができると共に、それぞれの緑化ワイヤ２を上下に連続させることができ、様々な建物等に容易に設置できる。
【００２８】
なお、緑化ワイヤ２は両端を固定系に締結されるものとしたが、固定系を介さずに他の緑化ワイヤ２に締結されるものとしてもよい。
【００２９】
また、緑化誘引線４はカーボン繊維からなるものとしたが、保水性・耐腐性に優れる麻等の植物繊維を所定の径を有するように撚って形成してもよい。
【００３０】
また、下段側の緑化壁装置１の緑化ワイヤ２は下端を基礎８に接続されるものとしたが、図３（ｂ）に示すように、建物の梁５等に設けられたブラケット６に接続されるものとしてもよい。この場合、ブラケット６には上方に延びるボルト９が設けられ、このボルト９にアイナット１０が締結されるとよい。
【符号の説明】
【００３１】
１  緑化壁装置
２  緑化ワイヤ
３  分岐ガイド
４  緑化誘引線
７  アイボルト
１０  アイナット
１２  誘引ニードル
１３  留め具
１５  折り曲げ部
１６  つる性植物
【図１】
0005496308.tif 000002
【図２】
0005496308.tif 000003
【図３】
0005496308.tif 000004
【図４】
0005496308.tif 000005